(57)【要約】電気泳動ディスプレイは、懸濁流体（１１２）に懸濁する複数の帯電粒子（１１０）を有する電気泳動媒体および電気泳動媒体の向かい合う側に配置された２個の電極（１０６、１０８）を備える。電極（１０８）の少なくとも１個は、光透過性で、視覚表面を形成する。ディスプレイは、閉鎖光学状態と開放光学状態を有し、閉鎖光学状態において、帯電粒子（１１０）は実質的に視覚表面全体に広がり、その結果、光は電気泳動媒体を通過し得なく、開放光学状態において、電気泳動粒子（１１０）は、電極間に延びる連鎖を形成し、その結果、光は電気泳動媒体を通過し得る。絶縁層（１１４、１１６）は、電極（１０６、１０８）と電気泳動媒体との間に配置される。同様に、電気泳動ディスプレイは、カラーフィルタアレイまたはリフレクタを備え、提供される。
2008500592.tif 000002
【特許請求の範囲】
【請求項１】
電気泳動ディスプレイ（１００；３００；４００）であって、
懸濁流体（１１２、３１２）に懸濁する複数の帯電粒子（１１０；３１０）を有する電気泳動媒体と、
該電気泳動媒体の向かい合う側に配置された２個の電極（１０６、１０８；３０６Ｒ、３０６Ｇ、３０６Ｂ、３０８）であって、該電極（１０８；３０８）の少なくとも１個は、光透過性で、観測者が視覚表面を通して該ディスプレイ（１００；３００；４００）を見得る該視覚表面を形成する、２個の電極と
を備え、
該ディスプレイ（１００；３００；４００）は、閉鎖光学状態と開放光学状態を有し、該閉鎖光学状態において、該帯電粒子（１１０、３１０）は実質的に該視覚表面全体に広がり、その結果、光は該電気泳動媒体を通過し得なく、該開放光学状態において、該電気泳動粒子（１１０；３１０）は、該電極（１０６、１０８；３０６Ｒ、３０６Ｇ、３０８）間に延びる連鎖を形成し、その結果、光は該電気泳動媒体を通過し得、
該ディスプレイは、該電極（１０６、１０８；３０６Ｒ、３０６Ｇ、３０６Ｂ、３０８）と該電気泳動媒体との間に配置された絶縁層（１１４、１１６；３１４、３１６）、を特徴とする、電気泳動ディスプレイ。
【請求項２】
前記帯電粒子（１１０；３１０）の少なくとも一部は導電性である、請求項１に記載の電気泳動ディスプレイ。
【請求項３】
前記導電性粒子（１１０；３１０）はカーボンブラックを備える、請求項２に記載の電気泳動ディスプレイ。
【請求項４】
前記絶縁層（１１４、１１６；３１４、３１６）の少なくとも１個は、１０９〜１０１１Ωｃｍの体積抵抗率を有する、請求項１に記載の電気泳動ディスプレイ。
【請求項５】
前記視覚表面から離れた前記絶縁層（１１４；３１４）は接着層で形成される、請求項１に記載の電気泳動ディスプレイ。
【請求項６】
前記帯電粒子および前記懸濁流体は複数のカプセル内に閉じ込められる、請求項１に記載の電気泳動ディスプレイ。
【請求項７】
前記カプセルは、ポリマーバインダー内に保持される、請求項６に記載の電気泳動ディスプレイ。
【請求項８】
前記絶縁層の少なくとも１個は、前記カプセルのバインダーおよび／または壁から構成される、請求項７に記載の電気泳動ディスプレイ。
【請求項９】
前記帯電粒子および前記懸濁流体は、ポリマーバインダーを備える前記連続相内に保持される複数のディスクリートな液滴として存在する、請求項１に記載の電気泳動ディスプレイ。
【請求項１０】
前記連続相は、帯電粒子および懸濁流体が閉じ込められる複数のセルを分離する壁を形成する、請求項９に記載の電気泳動ディスプレイ。
【請求項１１】
前記２個の電極に電圧を印加する電圧供給手段であって、該電圧供給手段は、前記ディスプレイを開放光学状態に駆動するのに有効な高周波数交流電圧と、前記ディスプレイを閉鎖光学状態に駆動するのに有効な低周波数交流または直流電圧との双方を供給するようにアレンジされる、電圧供給手段をさらに備える、請求項１に記載の電気泳動ディスプレイ。
【請求項１２】
前記高周波数交流電圧は、２００〜１０００Ｈｚの範囲の周波数を有し、前記低周波数交流または直流電圧は、０〜５０Ｈｚの範囲の周波数を有する、請求項１１に記載の電気泳動ディスプレイ。
【請求項１３】
前記電圧供給手段は、少なくとも１個の中間周波数交流電圧を供給するようにさらにアレンジされ、該中間周波数交流電圧は、該高周波数交流電圧と該低周波数交流または直流電圧との中間の周波数電圧を有し、該中間周波数交流電圧は、前記ディスプレイを前記開放光学状態と前記閉鎖光学状態との中間のグレー状態に駆動するに有効である、請求項１１に記載の電気泳動ディスプレイ。
【請求項１４】
前記懸濁流体（１１２；３１２）は、該懸濁流体中で、該懸濁流体において固有粘性ηを有するポリマーを溶解または分散し、該ポリマーは、該懸濁流体においてイオン性またはイオン化グループが実質的に無く、該ポリマーは０．５η−１〜２．０η−１の濃度で該懸濁流体において存在する、請求項１に記載の電気泳動ディスプレイ。
【請求項１５】
前記ポリマーは、ポリイソブチレンである、請求項１４に記載の電気泳動ディスプレイ。
【請求項１６】
複数のピクセルを有する電気泳動ディスプレイ（３００；４００）であって、該ディスプレイは、
懸濁流体（３１２）中に懸濁する複数の帯電粒子（３１０）有する電気泳動媒体と、
該電気泳動媒体の向かい合う側に配置された電極（３０６Ｒ、３０６Ｇ、３０６Ｂ，３０８）であって、該電極（３０８）の少なくとも１個は光透過性で、該観測者が視覚表面を通して該ディスプレイを見る視覚表面を形成する電極と
を備え、
該ディスプレイの各ピクセルは、閉鎖光学状態と開放光学状態を有し、閉鎖光学状態において、該帯電粒子（３１０）が該ピクセルの該視覚表面の実質的に全体に広がり、その結果、光は該電気泳動媒体を通過し得なく、該開放光学状態では、該電気泳動粒子（３１０）が該ピクセルの該電極間（３０６Ｒ、３０６Ｇ、３０６Ｂ、３０８）に延びる連鎖を形成し、その結果、光は該ピクセルを通過し得、
観測者によって知覚される該ディスプレイの色は、ディスプレイの該種々のピクセルの該開放および閉鎖状態を変化することによって変動され得るように、該観測者に見えるように、該ディスプレイに隣接して配置されるカラーアレイ（３０４Ｒ、３０４Ｇ、３０４Ｂ；４０２Ｒ、４０２Ｇ、４０２Ｂ）をさらに備える、ディスプレイ。
【発明の詳細な説明】
【技術分野】
【０００１】
本発明は、電気光学ディスプレイに関する。これらのディスプレイは、シャッタモードディスプレイ（その用語は下記に定義される）か、または光変調器、すなわち、可変透過窓、可変透過ミラー、および同様な装置でそこを通過する光量またはその他の電磁放射線を変調する装置であり得る。便宜上、用語「光」は、本明細書で通常の意味で使用されるが、不可視波長における電磁放射線を含む広い意味で、理解されるべきである。たとえば、下記に述べるように、本発明は、建物内の温度を制御するため赤外線を変調し得る窓を提供するように適用され得る。より具体的には、本発明は、電気光学ディスプレイ、および光変調を制御するために粒子ベースの電気泳動媒体を使用する光変調器に関する。
【背景技術】
【０００２】
複数の帯電粒子が、電界の影響によって懸濁流体の中を移動する粒子ベースの電気泳動媒体は、長年真剣な研究開発のテーマであった。そのようなディスプレイは、液晶ディスプレイに比較して、高輝度および高コントラスト、広視野角、状態双安定性、低消費電力の特性を有し得る。
【０００３】
本明細書で使用される用語「双安定（ｂｉｓｔａｂｌｅ）」および「双安定性（ｂｉｓｔａｂｉｌｉｔｙ）」は、当業界の従来の意味で使用されており、少なくとも１個の光学特性において異なる第１と第２のディスプレイ状態を有する表示要素を含むディスプレイを言い、アドレッシングパルスが終了した後に、第１または第２のいずれかのディスプレイ状態とするために、有限持続時間のアドレッシングパルスによって任意の所定の要素が駆動された後に、その状態は、表示要素の状態を変更するために必要なアドレッシングパルスの最小持続時間を、少なくとも何回か、たとえば、少なくとも４回は持続させる。特許文献１には、いくつかのグレースケールの能力がある粒子ベースの電気泳動ディスプレイは、極端な白黒状態においてのみならず、中間のグレー状態においても安定しており、同じことが、その他のいくつかの電気光学ディスプレイについても真実である。本明細書において便宜上、用語「双安定（ｂｉｓｔａｂｌｅ）は、双安定と多安定（ｍｕｌｔｉ−ｓｔａｂｌｅ）ディスプレイの両方をカバーするために使用され得るが、この種のディスプレイは、双安定よりはむしろ、正しく多安定と呼ばれる。
【０００４】
それでも、これらのディスプレイの長期間の映像品質に関する問題は、これらのディスプレイの広範囲の使用を妨げてきた。たとえば、電気泳動ディスプレイを構成する粒子は、定着する傾向があり、これらのディスプレイの不適当な有効寿命の結果となる。
【０００５】
上記に指摘されているように、電気泳動媒体は懸濁流体の存在を必要とする。電気泳動媒体のほとんどの従来技術において、懸濁流体は液体であるが、電気泳動媒体はガス状の懸濁流体を使用して生産し得る。たとえば、Ｋｉｔａｍｕｒａ，Ｔ．らの「Ｅｌｅｃｔｒｉｃａｌ  ｔｏｎｅｒ  ｍｏｖｅｍｅｎｔ  ｆｏｒ  ｅｌｅｃｔｒｏｎｉｃ  ｐａｐｅｒ−ｌｉｋｅ  ｄｉｓｐｌａｙ」、ＩＤＷ  Ｊａｐａｎ（２００１年），Ｐａｐｅｒ  ＨＣＳ１−１、および、Ｙａｍａｇｕｃｈｉ、Ｙ．らの「Ｔｏｎｅｒ  ｄｉｓｐｌａｙ  ｕｓｉｎｇ  ｉｎｓｕｌａｔｉｖｅ  ｐａｒｔｉｃｌｅｓ  ｃｈａｒｇｅｄ  ｔｒｉｂｏｅｌｅｃｔｒｉｃａｌｌｙ」、ＩＤＷ  Ｊａｐａｎ（２００１年），Ｐａｐｅｒ  ＡＭＤ４−４）。また欧州特許出願第１，４２９，１７８号、欧州特許出願第１，４６２，８４７号、欧州特許出願第１，４８２，３５４号、および欧州特許出願第１，４８４，６２５号、ならびに国際公開第２００４／０９０６２６号、国際公開第２００４／０７９４４２号、国際公開第２００４／０７７１４０号、国際公開第２００４／０５９３７９号、国際公開第２００４／０５５５８６号、国際公開第２００４／００８２３９号、国際公開第２００４／００６００６号、国際公開第０３／０９１７９９号、国際公開第０３／０８８４９５号を参照のこと。そのような、ガスベースの電気泳動媒介は、その媒介が、たとえば、垂直面に配置されているサインにおいて定着を可能にする方向において使用されるときに、粒子定着のために、液体ベースと同じ種類の問題を受けやすい。事実、粒子は、液体ベースの電気泳動媒体より気体ベースの電気泳動媒体においてより深刻な問題として現れる。理由は、液体の懸濁流体に比較し、ガス状の懸濁流体の低い粘性は、電気泳動のより速い定着を起こすためである。
【０００６】
Ｍａｓｓａｃｈｕｓｅｔｔｓ  Ｉｎｓｔｉｔｕｔｅ  ｏｆ  Ｔｅｃｈｎｏｌｏｇｙ（ＭＩＴ）およびＥ  Ｉｎｋ  Ｃｏｒｐｏｒａｔｉｏｎに譲渡されるかまたはそれらの名前でなされた、カプセル化した電気泳動媒体を記載した多数の特許および出願が、最近公開されている。そのようなカプセル化した媒体は、多数の小さなカプセルを含み、その小さなカプセルの各々は、液体の懸濁媒体に懸濁し電気泳動的に動く粒子を含む内部相と、その内部相とを囲むカプセル壁を含む。通常、カプセル自体は、ポリマーバインダ内に保持され、２個の電極間にあるコヒーレント層を形成する。この種のカプセル化した媒体は、たとえば、以下に記載されている。米国特許第５，９３０，０２６号、米国特許第５，９６１，８０４号、米国特許第６，０１７，５８４号、米国特許第６，０６７，１８５号、米国特許第６，１１８，４２６号、米国特許第６，１２０，５８８号、米国特許第６，１２０，８３９号、米国特許第６，１２４，８５１号、米国特許第６，１３０，７７３号、米国特許第６，１３０，７７４号、米国特許第６，１７２，７９８号、米国特許第６，１７７，９２１号、米国特許第６，２３２，９５０号、米国特許第６，２４９，２７１号、米国特許第６，２５２，５６４号、米国特許第６，２６２，７０６号、米国特許第６，２６２，８３３号、米国特許第６，３００，９３２号、米国特許第６，３１２，３０４号、米国特許第６，３１２，９７１号、米国特許第６，３２３，９８９号、米国特許第６，３２７，０７２号、米国特許第６，３７６，８２８号、米国特許第６，３７７，３８７号、米国特許第６，３９２，７８５号、米国特許第６，３９２，７８６号、米国特許第６，４１３，７９０号、米国特許第６，４２２，６８７号、米国特許第６，４４５，３７４号、米国特許第６，４４５，４８９号、米国特許第６，４５９，４１８号、米国特許第６，４７３，０７２号、米国特許第６，４８０，１８２号、米国特許第６，４９８，１１４号、米国特許第６，５０４，５２４号、米国特許第６，５０６，４３８号、米国特許第６，５１２，３５４号、米国特許第６，５１５，６４９号、米国特許第６，５１８，９４９号、米国特許第６，５２１，４８９号、米国特許第６，５３１，９９７号、米国特許第６，５３５，１９７号、米国特許第６，５３８，８０１号、米国特許第６，５４５，２９１号、米国特許第６，５８０，５４５号、米国特許第６，６３９，５７８号、米国特許第６，６５２，０７５号、米国特許第６，６５７，７７２号、米国特許第６，６６４，９４４号、米国特許第６，６８０，７２５号、米国特許第６，６８３，３３３号、米国特許第６，７０４，１３３号、米国特許第６，７１０，５４０号、米国特許第６，７２１，０８３号、米国特許第６，７２４，５１９号、米国特許第６，７２７，８８１号、米国特許第６，７３８，０５０号、米国特許第６，７５０，４７３号、米国特許第６，７５３，９９９号、米国特許第６，８１６，１４７号、米国特許第６，８１９，４７１号、米国特許第６，８２２，７８２号、米国特許第６，８２５，０６８号、米国特許第６，８２５，８２９号、米国特許第６，８２５，９７０号、米国特許第６，８３１，７６９号、米国特許第６，８３９，１５８号、��国特許第６，８４２，１６７号、第６，８４２，２７９号、米国特許第６，８４２，６５７号、米国特許第６，８６４，８７５号、第６，８６５，０１０号、米国特許第６，８６６，７６０号、および米国特許第６，８７０，６６１号、ならびに米国特許出願公開第２００２／００６０３２１号、米国特許出願公開第２００２／００６３６６１号、米国特許出願公開第２００２／００９０９８０号、米国特許出願公開第２００２／０１１３７７０号、米国特許出願公開第２００２／０１３０８３２号、米国特許出願公開第２００２／０１８０６８７号、米国特許出願公開第２００３／００１１５６０号、米国特許出願公開第２００３／００２０８４４号、米国特許出願公開第２００３／００２５８５５号、米国特許出願公開第２００３／０１０２８５８号、米国特許出願公開第２００３／０１３２９０８号、米国特許出願公開第２００３／０１３７５２１号、米国特許出願公開第２００３／０１５１７０２号、米国特許出願公開第２００３／０２１４６９５号、米国特許出願公開第２００３／０２２２３１５号、米国特許出願公開第２００４／００１２８３９号、米国特許出願公開第２００４／００１４２６５号、米国特許出願公開第２００４／００２７３２７号、米国特許出願公開第２００４／００７５６３４号、米国特許出願公開第２００４／００９４４２２号、米国特許出願公開第２００４／０１０５０３６号、米国特許出願公開第２００４／０１１２７５０号、米国特許出願公開第２００４／０１１９６８１号、米国特許出願公開第２００４／０１３６０４８号、米国特許出願公開第２００４／０１５５８５７号、米国特許出願公開第２００４／０１８０４７６号、米国特許出願公開第２００４／０１９０１１４号、米国特許出願公開第２００４／０１９６２１５号、米国特許出願公開第２００４／０２２６８２０号、米国特許出願公開第２００４／０２３３５０９号、米国特許出願公開第２００４／０２３９６１４号、米国特許出願公開第２００４／０２５２３６０号、米国特許出願公開第２００４／０２５７６３５号、米国特許出願公開第２００４／０２６３９４７号、米国特許出願公開第２００５／００００８１３号、米国特許出願公開第２００５／０００１８１２号、米国特許出願公開第２００５／０００７３３６号、米国特許出願公開第２００５／０００７６５３号、米国特許出願公開第２００５／００１２９８０号、米国特許出願公開第２００５／００１７９４４号、米国特許出願公開第２００５／００１８２７３号、米国特許出願公開第２００５／００２４３５３号、米国特許出願公開第２００５／００３５９４１号、米国特許出願公開第２００５／００４１００４号、米国特許出願公開第２００５／００６２７１４号、米国特許出願公開第２００５／００６７６５６号、および米国特許出願公開第２００５／００７８０９９号、ならびに国際公開第９９／６７６７８号、国際公開第００／０５７０４号、国際公開第００／３８０００号、国際公開第００／３６５６０号、国際公開第００／６７１１０号、国際公開第００／６７３２７号、国際公開第０１／０７９６１号、および国際公開第０３／１０７，３１５号。
【０００７】
公知の電気泳動媒体は、カプセル化および非カプセル化の両方の二つの主要なタイプに分けられ、便宜上、本明細書では以下それぞれ「単粒子（ｓｉｎｇｌｅ  ｐａｒｔｉｃｌｅ」と「複粒子（ｄｕａｌ  ｐａｒｔｉｃｌｅ）」という。単粒子媒体は、懸濁媒体に懸濁する一つのタイプの電気泳動粒子のみを有し、その媒体の少なくとも一つの光学特性は、粒子の光学特性と異なる。（一つのタイプの粒子というとき、そのタイプのすべての粒子は完全に同一であることを意味しない。たとえば、そのタイプのすべての粒子は実質的に同じ光学特性および同じ極性の電荷を有しているとすると、粒子の大きさおよび電気泳動の移動度などのパラメータのかなりの変動は、媒体の有用性に影響せずに、許容され得る。）そのような媒体が、２個の電極の相対電位に従い、少なくとも１個が透明である一対の電極間に置かれるとき、粒子の電気的特性を表示し得る（粒子が観測者により近い電極に隣接しているとき、（本明細書では以下「前（ｆｒｏｎｔ）」電極という）、あるいは、懸濁媒体の光学特性を表示し得る（粒子が観測者から離れている電極に隣接していて、その結果粒子は懸濁媒体によって隠されるとき、以下「後（ｒｅａｒ）」電極という）。
【０００８】
複粒子媒体は、少なくとも１個の光学特性の異なる二つのタイプの粒子を有する。懸濁流体は、無色または有色であり得るが、通常は無色である。二つのタイプの粒子は、電気泳動の移動度において異なり、この移動度における相違は、極性（このタイプは以下、「異電荷複粒子媒体」と本明細書では称され得る）、および／または大きさにおいてである。そのような複粒子媒体が、２個の電極の相対電位に従い、上記の一対の電極間に置かれるとき、媒体は粒子のどちらかの一式の光学特性を表示し得る。ただし、この表示が達成される正確な方法は、移動度の相違が極性においてか、あるいは、大きさにおいてのみかにより異なる。例証を容易にするため、粒子の一方のタイプが黒で、他方のタイプが白の電気泳動媒体を考える。２つのタイプの粒子が極性において異なる場合（たとえば、黒の粒子はプラスに帯電され、白の粒子はマイナスに帯電される場合）、粒子は２個の異なる電極に引き付けられ、その結果、たとえば、前電極は、後電極に対してマイナスである場合、黒の粒子は、前電極に引き付けられ、白の粒子は、後電極に引き付けられ、その結果、媒体は、観測者にとって黒に見える。逆に、前電極が、後電極に対してプラスである場合、白の粒子は、前電極に引き付けられ、黒の粒子は、後電極に引き付けられ、その結果、媒体は、観測者にとって白に見える。
【０００９】
異電荷の「複粒子」媒体は、二つのタイプを超える粒子を含み得ることに注意すべきである。たとえば、上記の米国特許第６，２３２，９５０号は、図６〜図９Ｃにて、同じカプセルに異なる３種の色を有する逆電荷カプセル化３粒子システムを示す。本特許は、また、カプセルを３種の粒子の色を表示可能にする駆動方法も記載する。粒子のさらに多くの種類が存在し得る。最大５種の異なる粒子が、そのようなディスプレイに有用に存在し得ることは経験的に判明している。
【００１０】
二つのタイプの粒子が同じ極性の電荷を有するが、電気泳動移動度において異なる場合（この種類の媒体は、本明細書では以下「同極性複粒子」媒体という）、両タイプの粒子は、同じ電極に引き付けられるが、一方のタイプは他方のタイプの前に電極に到達し、その結果、観測者に向い合っているタイプは、粒子が引き付けられている電極によって異なる。たとえば、前の例証が修正され、黒と白の粒子の両方がプラスに帯電されるが、黒の粒子はより高い電気泳動移動度を有すると仮定する。ここで、前電極は、後電極に対しマイナスで、黒と白の両方の粒子は、前電極に引き付けられるが、黒粒子は、そのより高い移動度のために、電極に最初に到達し、その結果、黒の粒子の層は前電極を被覆し、媒体は、観測者にとって黒に見える。逆に、前電極は、後電極に対しプラスで、白と黒の両方の粒子は、後電極に引き付けられるが、黒粒子は、そのより高い移動度のために、電極に最初に到達し、その結果、黒の粒子の層は後電極を被覆し、白粒子の層を後電極から離し観測者に向い合うようにし、その結果、媒体は、観測者にとって白に見える。このタイプの複粒子媒体は、懸濁流体は後電極から離れた白粒子の層が観測者にとっていつでも見られるように十分透明であるべきことが必要であることに注意されたい。通常、そのようなディスプレイの懸濁流体は、全く無色であるが、ディスプレイを通して見える白粒子における不要な色調を補正する目的で、何らかの色が組み入れられ得る。
【００１１】
単粒子及び複粒子の両方の電気泳動ディスプレイは、既に記載された二つの極端な光学状態の中間の光学特性を有する中間のグレー状態が可能であり得る。
【００１２】
前述の特許及び特許出願公開された出願のいくつかは、各カプセル内に異なる３タイプ以上の粒子を有するカプセル化した電気泳動媒介を開示する。本出願の目的のために、そのような多粒子媒体は、複粒子媒体の亜種として見なされる。
【００１３】
また、前述の特許及び特許出願の多くは、カプセル化した電気泳動媒体におけるディスクリート（ｄｉｓｃｒｅｔｅ）なマイクロカプセルを囲む壁は、連続相によって置き換え得、従って、いわゆる「ポリマー分散電気泳動ディスプレイ」を生成し、そのディスプレイでは、電気泳動媒体は、電気泳動流体の複数のディスクリートな液滴およびポリマー材料の連続相を含むことを認め、また、そのようなポリマー分散電気泳動ディスプレイ内の電気泳動流体のディスクリートな液滴は、どのディスクリートなカプセル膜も各個々の液滴と関連しないとしても、カプセルまたはマイクロカプセルとみなされ得ることを認める。たとえば、前述の米国特許出願公開第２００２／０１３１１４７号を見られたい。従って、本出願の目的のため、そのようなポリマー分散電気泳動媒体は、カプセル化した電気泳動媒体の亜種と見なされる。
【００１４】
電気泳動ディスプレイの関連タイプは、いわゆる「マイクロセル電気泳動ディスプレイ」である。マイクロセル電気泳動ディスプレイにおいて、帯電粒子および懸濁流体は、マイクロカプセル内にカプセル化されないで、その代わり、通常ポリマーフィルムであるキャリア媒体内に形成される複数の空洞内に保持される。たとえば、両方ともＳｉｐｉｘ  Ｉｍａｇｉｎｇ，Ｉｎｃ．に譲渡された国際公開第０２／０１２８１号および公開された米国特許出願公開第２００２／００７５５５６号を見られたい。
【００１５】
電気泳動道媒体は、しばしば不透明で（たとえば、多くの電気泳動媒体において、粒子は、ディスプレイを通した可視光線の透過を実質的にブロックするため）、反射モードで動作するが、多くの電気泳動ディスプレイは、いわゆる「シャッタモード」で動作するように作られ、そのモードにおいて、一方のディスプレイ状態は実質的に不透明であり、他方の状態では、光透過である。たとえば、前述の米国特許第６，１３０，７７４号および第６，１７２，７９８号、および米国特許第５，８７２，５５２号、第６，１４４，３６１号、第６，２７１，８２３号、第６，２２５，９７１号、および第６，１８４，８５６号を見られたい。電気泳動ディスプレイと似ているが、電界強度の変動に依存する誘電泳動ディスプレイは、同様なモードで動作し得る。米国特許第４，４１８，３４６号を見られたい。
【００１６】
シャッタモードディスプレイは、たとえば、１色を有し、観測者がディスプレイを見る視覚表面とは反対側の電気光学媒体に位置する異なる色の表面を提供する粒子を使用することによって、従来の反射ディスプレイとして使用され得る。たとえば、米国特許第６，１７７，９２１号を見られたい。代わりに、シャッタモードディスプレイは、光変調器、すなわち、一つの（開放または透明の）光学状態において光を通過させ、別の（閉鎖または不透明の）光学状態において光がブロックされるような装置として使用され得る。
【００１７】
電気泳動媒体の一つの重要なマーケットは、可変の光透過を有する窓である。建物や乗り物のエネルギー性能は益々重要になっているので、光変調器は、窓の被膜剤として使用され得、変調器の光学状態を変動させることによって窓を通して入る入射光線の割合を電子的に制御し得る。そのような電子制御は、たとえば、窓ブラインドの使用による入射光線の「機械的な」制御にとって代わり得る。建物におけるそのような「可変透過率」（「ＶＴ」）技術の効率的な実施は、（１）暑い天候時の不要な熱影響を減少し、それにより、冷却に必要なエネルギー量、エアコン設備の規模、およびピーク電力需要を減少させ、（２）自然の昼光の利用を増加させ、それによって照明およびピーク電力需要に使用されるエネルギーを減少させ、および（３）熱と視覚の両方の快適性を増加することによって居住者の快適性を増加することを提供する。自動車においては、囲まれた容積に対する窓面の割合が通常の建物より大幅に大きく、さらに大きな利点が期待される。具体的には、自動車におけるＶＴ技術の効率的な実施は、前述の利点のみならず、（１）運転の安全性の増加（２）グレア（ｇｌａｒｅ）の減少（３）ミラー性能の向上（ミラー上に電気光学的被膜を使用することによって）、および（４）ヘッドアップディスプレイを使用する能力の増加をも提供する。その他の可能性ある用途は、プライバシーガラスおよびグレアよけを含むＶＴ技術を含む。
【００１８】
光変調器を含む電気泳動シャッタモードディスプレイが、その開放と閉鎖の光学状態間で動くとき、電気泳動粒子が動く正確な方法に関して、これまで比較的殆ど考慮がなされてこなかったようである。前述の同時係属中の特許出願第１０/９０７，１４０号において検討されたように、開放状態は、電気泳動粒子の電界依存の凝集体（ａｇｇｒｅｇａｔｉｏｎ）によってなされる。そのような電界依存の凝集体は、カプセルまたはマイクロセルの横の壁への電気泳動粒子の誘電泳動移動の形態、または「連鎖（ｃｈａｉｎｉｎｇ）」すなわち、カプセルまたはマイクロセル内の電気泳動粒子のストランドの形成またはおそらく他の方法による形態をとり得る。達成された凝集体の正確なタイプに関わらず、電気泳動粒子のそのような電界依存の凝集体は、観測者が視覚表面を通して媒体を見る視覚表面に垂直の方向で見られるように、各カプセルまたはマイクロセルの視覚範囲のほんの一部分を粒子が占めるようにする。このように透明状態において、各カプセルまたはマイクロセルの視覚範囲の主要な部分は、電気泳動粒子がなく、光は視覚範囲を自由に通過する。対照的に、不透明の状態では、電気泳動粒子は、各カプセルまたはマイクロセルの視覚範囲の全体に分布され（粒子は、懸濁流体の容積全体に均一に分布、または電気泳動層の一つの主要な表面に隣接した層に集中し得る）、その結果、光は視覚範囲を通過し得ない。
【００１９】
欧州特許出願第７０９，７１３号は、電気泳動粒子の連鎖に依存するいくつかの異なるタイプのシャッタモードの電気泳動ディスプレイを記載する。シャッタモードの電気泳動ディスプレイは、二つの主要なタイプがある。第１のタイプにおいて、この特許出願の図１〜６のサンプルに示されるように、連鎖は、通常シリコーンオイルの絶縁流体内の電気泳動粒子を含む電気泳動媒体の両側の二つのパターンなし電極間に発生する。電気泳動粒子自体は、電気的半導体材料、無機イオン交換体、シリカゲルまたは金属でドープされたこれらの材料の一つから形成された外部無機層を有する高分子コアを備える。そのような電気泳動粒子は、製造するのが難しく、高価となりがちであるが、粒子の連鎖は分極性粒子を必要とするので明らかに必要であるが、導体粒子は、連鎖が発生したとき電極をショ−トするので、使用できない。動作電圧は、多少高いように見える、電気泳動媒体の全体の推奨電界は、０．２５ｋＶ／ｍｍ〜１．５ｋＶ／ｍｍ、すなわち１００μｍ厚の電気泳動層について２５〜１５０Ｖである。ディスプレイの閉鎖は、（すなわち、ディスプレイの光透過状態から不透明状態への遷移）は、電気泳動媒体全体の粒子の拡散によって影響され、従って遅い。さらに、そのようなディスプレイは、それが閉鎖状態においてのみ安定である。
【００２０】
欧州特許出願第７０９，７１３号に記載されたシャッタモードディスプレイの第２のタイプにおいて（その出願の図３１および図３２Ｂを参照）、一方の電極は、パターンなしであるが、反対の電極は、連続した狭い平行ストリップで、二つのセットへ異なる電圧を印加する備えを有する二つの交流セットに分割された平行ストリップ（ｓｔｒｉｐ）として形成される。そのようなディスプレイの開放光学状態において、すべてのストリップは、パターンなし電極の電圧とは異なる、同じ電圧にセットされ、その結果、連鎖がパタンなし電極とストリップ各々との間に形成される。ディスプレイの閉鎖光学状態において、異なる電圧が二つのセットのストリップに印加され、その結果、隣接するストリップ間に連鎖が発生する。パターンなし電極に印加される電圧は、それが二つのセットのストリップ間に印加された電圧の中間であれば、本質的に無関係である。このタイプのディスプレイは、上記の第１のタイプのディスプレイと同じ複合（ｃｏｍｐｌｅｘ）電気泳動粒子を使用する。さらに、そのようなディスプレイの閉鎖状態は、完全に暗くなるということは不確かのようである。閉鎖状態における隣接する連鎖間に必然的にギャップが生じる傾向があり、そのようなギャップのわずかな部分でさえも閉鎖状態の暗さに不都合に影響するからである。第２のタイプのディスプレイは、拡散に依存するよりはむしろその閉鎖状態にアクティブに駆動され得るため、上記の第１のタイプより速く閉鎖するが、どちらの光学状態においても真に双安定ではない。最後に、特に高解像度のディスプレイにおいて、必要な狭いストリップ電極の形成は、製造上の問題を提起する。
【特許文献１】米国特許出願公開第２００２／０１８０６８７号明細書
【発明の開示】
【課題を解決するための手段】
【００２１】
本発明は、上記に検討された従来技術のディスプレイのデメリットを受けない、光変調器を含むシャッタモード電気泳動ディスプレイに関する。
【００２２】
一つの局面において、本発明は、電気泳動ディスプレイを提供し、電気泳動ディスプレイは、懸濁流体に懸濁する複数の帯電粒子を有する電気泳動媒体と、電気泳動媒体の向かい合う側に配置された２個の電極とを備える。電極の少なくとも１個は、光透過性で、観測者が視覚表面を通してディスプレイを見得る視覚表面を形成する。ディスプレイは、閉鎖光学状態と開放光学状態を有し、閉鎖光学状態において、帯電粒子は実質的に視覚表面全体に広がり、その結果、光は電気泳動媒体を通過し得なく、開放光学状態において、電気泳動粒子は、電極間に延びる連鎖を形成し、その結果、光は電気泳動媒体を通過し得る。ディスプレイは、電極と電気泳動媒体との間に配置された絶縁層をさらに備える。
【００２３】
ディスプレイは、便宜上以下、本発明の「絶縁層」または「ＩＬ」ディスプレイという。下記に説明された理由で、このタイプのディスプレイは、帯電粒子の少なくとも一部は導電性であるとき、特に有用である。たとえば、帯電粒子は、カーボンブラックを備え得る。絶縁層は、約１０９〜約１０１１Ωｃｍの体積抵抗率を有する。いくつかの場合においては、視覚表面から離れた絶縁層は、接着層によって形成され得る。
【００２４】
本発明のＩＬ電気泳動ディスプレイは、電気泳動媒体の任意の公知のタイプを使用し得る。たとえば、帯電粒子および懸濁流体が複数のカプセル内に閉じ込められた状態で、電気泳動媒体はカプセル化され得、カプセルはポリマーバインダー内に保持され得る。そのようなカプセル化したディスプレイにおいて、絶縁層の少なくとも１個は、カプセルのバインダーおよび／または壁から構成され得る。代わりに、電気泳動媒体は、帯電粒子および懸濁流体が、ポリマーバインダーを備える連続相内に保持される複数のディスクリートな液滴として存在するポリマー分散タイプかまたはマイクロセルであり得る。マイクロセル媒体の場合、連続相は、帯電粒子および懸濁流体が閉じ込められる複数のセルを分離する壁を形成する。
【００２５】
本発明のＩＬ電気泳動ディスプレイは、２個の電極に電圧を印加する電圧供給手段を備え、電圧供給手段は、ディスプレイを開放光学状態に駆動するのに有効な高周波数交流電圧と、ディスプレイを閉鎖光学状態に駆動するのに有効な低周波数交流または直流電圧との双方を供給するようにアレンジされる。高周波数交流電圧は、約２００〜約１０００Ｈｚの範囲の周波数を有し、低周波数交流または直流電圧は、０〜約５０Ｈｚの範囲の周波数を有する。電圧供給手段はまた、少なくとも１個の中間周波数交流電圧を供給するようにアレンジされ、中間周波数交流電圧は、高周波数交流電圧と低周波数交流または直流電圧との中間の周波数電圧を有し、中間周波数交流電圧は、ディスプレイを開放光学状態と閉鎖光学状態との中間のグレー状態に駆動するに有効である。
【００２６】
以下に説明される理由によって、本発明のＩＬ電気泳動ディスプレイにおいて、懸濁流体は、懸濁流体中で、該懸濁流体において固有粘性ηを有するポリマーを溶解または分散し、ポリマーは、懸濁流体においてイオン性またはイオン化グループが実質的に無く、ポリマーは約０．５η−１〜約２．０η−１の濃度で懸濁流体において存在する。ポリマーは、ポリイソブチレンであり得る。
【００２７】
別の局面において、本発明は、複数のピクセルを有する電気泳動ディスプレイを提供し、電気泳動ディスプレイは、懸濁流体中に懸濁する複数の帯電粒子を有する電気泳動媒体と、電気泳動媒体の向かい合う側に配置された電極であって、電極の少なくとも１個は光透過性で、観測者が視覚表面を通してディスプレイを見る視覚表面を形成する電極とを有する電気泳動媒体とを備え、ディスプレイの各ピクセルは、閉鎖光学状態と開放光学状態を有し、閉鎖光学状態において、帯電粒子が該ピクセルの該視覚表面の実質的に全体に広がり、その結果、光は電気泳動媒体を通過し得なく、開放光学状態では、電気泳動粒子がピクセルの電極間に延びる連鎖を形成し、その結果、光はピクセルを通過し得、ディスプレイは、観測者によって知覚されるディスプレイの色は、ディスプレイの種々のピクセルの開放および閉鎖状態を変化することによって変動され得るように、観測者に見えるように、ディスプレイに隣接して配置されるカラーアレイをさらに備える。
【００２８】
「カラーアレイ」ディスプレイなどのいくつかの異なる変種がある。カラーアレイは、カラーフィルタアレイか(すなわち、カラーであるが光透過性のエレメントのアレイ)またはカラーリフレクタアレイ（すなわち、カラーの反射エレメント）のいずれかであり得る。カラーフィルタアレイは、ディスプレイの隣接する視覚表面かまたはディスプレイの反対側に配置される。どちらの場合でも、ディスプレイは、背面照明され得る（すなわち、光源は、視覚表面からディスプレイの反対側に備えられ、その結果、観測者は光源からディスプレイを通して通過する光を見得、または別のリフレクタが、観測者からディスプレイの反対側に備えられ得る。）カラーリフレクタアレイは、もちろん、視覚表面からアレイの反対側に配置されるべきである。
【発明を実施するための最良の形態】
【００２９】
（詳細な説明）
上記に指摘されているように、本発明は、下記に主として別々に説明される二つの主要な局面を有する。しかし、単体のディスプレイは、本発明の複数の局面を利用し得ること、たとえば、本発明のカラーアレイディスプレイもまた、本発明の絶縁層局面に一致した絶縁層を含み得ることを理解されるべきである。
【００３０】
この第１の局面において既に述べられたように、本発明は、懸濁流体において懸濁した複数の帯電粒子を有する電気泳動媒体、および電気泳動媒体の反対側に配置された２個の電極とを備える電気泳動ディスプレイを提供する。その電極の少なくとも１個は光透過性で、観測者が視覚表面を通してディスプレイを見る視覚表面を形成する。ディスプレイは、閉鎖光学状態と開放光学状態とを有する。閉鎖光学状態では、帯電粒子が視覚表面の実質的に全体に広がり、その結果、光は電気泳動媒体を通過できなく、開放光学状態では、電気泳動粒子が電極間に延びる連鎖を形成し、その結果、光は電気泳動媒体を通過することができる。絶縁層は、電極と電気泳動媒体との間に配置される。
【００３１】
そのような電気泳動ディスプレイにおいて絶縁層を備えることは、たとえば、前述の欧州特許出願第７０９，７１３号に記載されたディスプレイなどの、そのような層を欠いたディスプレイに使用され得る電気泳動粒子よりはるかに広い範囲で電気泳動粒子を使用することを可能にする。絶縁層は電気泳動粒子と電極との間を直接接触することを妨げるので、たとえばカーボンブラックなどの導体電気泳動粒子を、電気泳動粒子の連鎖が電極をショートさせるいかなる危険もなしに、使用し得る。
【００３２】
電気泳動媒体の動作は、電気泳動媒体を通過する小電流の通路に依存するため、本発明のディスプレイで使用される「絶縁層」は、電気泳動媒体を通過する電流の通路を完全にブロックすべきでないことは理解されたい。しかし、電気泳動媒体の抵抗率は、通常、高い（約１０１０Ωｃｍ）ので、通常、絶縁体と考えられる多くの材料は、本発明においてうまく使用し得る。米国特許第６，８３１，７６９号でより詳細に検討されたように、本発明で使用される絶縁層は、最適値はもちろん電気泳動媒体自身の体積抵抗率で変動するが、通常約１０９〜１０１１Ωｃｍの体積抵抗率を有するべきである。
【００３３】
本発明の絶縁層局面に従う絶縁層を備えることは、ディスプレイの追加の製造工程を必要としない。前述の米国特許出願第２００４／００２７３２７号および上記の種々のその他のＥ  ＩｎｋおよびＭＩＴの特許および特許出願で検討したように、電気泳動ディスプレイを構築する一つの好ましい方法は、第一に、いわゆる「フロントプレーン積層板（ｆｒｏｎｔ  ｐｌａｎｅ  ｌａｍｉｎａｔｅ）」を形成することである。フロントプレーン積層板は、光透過導電層、この導電層と電気的に接触した固体電気泳動媒体の層、および接着層を、この順序で備え、接着層は、保管時に、レリースシート（ｒｅｌｅａｓｅ  ｓｈｅｅｔ）によってカバーされ、レリースシートは、フロントプレーン積層板が下記のラミネーションがなされる前に取り外され得る。そのようなフロントプレーン積層板はまた、通常、導電層を支持し、最終ディスプレイの前面を形成する前面基板も備え、それで電気泳動媒体の機構的な保護を提供する。最終ディスプレイを形成するためには、フロントプレーン積層板は、通常、熱と圧力によって、少なくとも１個の電極を備えるバックプレーンにラミネーションされる。ディスプレイが、最終ディスプレイにおいてそのような工程によって形成されるとき、接着剤が、バックプレーン電極と電気泳動媒体との間の絶縁層として働き得る。絶縁層としてラミネーション接着剤を使用することは、もちろん、フロントプレーン積層板の一部として備えられたラミネーション接着剤に限定されない。たとえば、バックプレーンに接着剤を塗ることによって形成される接着層もまた、絶縁層として働く。事実、電気泳動ディスプレイが、前述の米国特許出願第２００４／０１５５８５７号に記載された「ダブルレリースフィルム」を使用して形成される場合（そのようなダブルレリースフィルムは、電気泳動媒体の両側に備えられた接着層を有する電気泳動媒体の層を本質的に含み、ディスプレイは、ダブルレリースフィルムをバックプレーンと前面基板に別々にラミネートすることによって形成される。）、両方の絶縁層は接着層であり得る。
【００３４】
同様に、前述のＥ  ＩｎｋおよびＭＩＴの特許および特許出願に記載されたように、電気泳動媒体はカプセル化した電気泳動媒体で、そこでは懸濁流体および粒子は複数のカプセル内に保持される場合、カプセル壁（およびオプションでカプセルを囲み、カプセルをコヒーレント層の中に形成するために通常使用されるバインダー）は、本発明によって必要とされる絶縁層として働く。また、電気泳動媒体がマイクロセルタイプの場合、マイクロセルの端壁は、本発明によって必要とされる絶縁層として働き得る。
【００３５】
本発明の絶縁層ディスプレイにおいて、両方の電極は通常、ディスプレイの各ピクセル内で連続であり、上記に検討されるように欧州特許出願第７０９，７１３号に使用されているストライプの電極（ｓｔｒｉｐｅｄ  ｅｌｅｃｔｒｏｄｅ）のタイプは、一般的に必要ない。それで、そのようなストライプ電極に関連した費用および製造上の難しさは避けられる。実際的には、本発明に対して一般的に好ましい電極構成は、複数のピクセル全体に延びる連続前電極を有する従来の電極構成で、通常、全体ディスプレイ、およびバックプレーンに形成されたピクセル電極のマトリクスで、ディスプレイの各ピクセルに関係した１個のピクセル電極である。
【００３６】
本発明のディスプレイの開閉は、（すなわち、ディスプレイの開放と閉鎖との光学状態間のディスプレイの移動）は、前述の同時係属中の特許出願第１０/９０７，１４０号において記載されている方法である、電極間に印加される電界の周波数を変化させることによって好ましく達成される。この同時係属中の特許出願で検討されているように、電極間に高周波数ＡＣ電界（通常２００〜１０００Ｈｚのオーダー）を印加すると、粒子の連鎖（ストランディング）が起こり、ディスプレイは開放する。一方、ＤＣまたは低周波数ＡＣ電界（通常５０Ｈｚ未満）を印加すると、ディスプレイは閉鎖する。ＤＣ電界は、１個の電極に隣接し、その全域をカバーする電気泳動粒子を急速に運ぶので、ＤＣ電界を使用することによるディスプレイを閉鎖する能力は重要である。このように、ディスプレイはアクティブにまた急速に閉鎖され得る。そのような閉鎖は、欧州特許出願第７０９，７１３号に記載されている第１のタイプのディスプレイのような拡散制御された粒子移動よりはるかに速く、この欧州特許出願に記載された第２のタイプのような隣接するストランド間の光もれの影響はより少ない。グレースケールは、交流電界の周波数を変更することによって、達成され得る。前述の国際公開第０３／１０７３１５号および同時係属中の特許出願第１０/９０７，１４０号を参照されたい。
【００３７】
本発明のディスプレイの双安定性は、前述の米国特許出願公開第２００２／０１８０６８７号に記載されている方法で、懸濁流体において固有粘性ηを有し、懸濁流体においてイオン性またはイオン化グループが実質的にないポリマーで、懸濁流体内に約０．５η−１〜約２．０η−１の濃度で存在するポリマーを懸濁流体において溶解しまた分散されることによって改善し得る。このポリマーは、たとえば、ポリイソブチレン（ＰＩＢ）またはクラトン（Ｋｒａｔｏｎ）であり得る。優れた映像安定性は、この公開された出願に記載のとおり、空乏―凝集（ｆｌｏｃｃｕｌａｔｉｏｎ）機構によって達成され得る。
【００３８】
本発明のディスプレイにおいて使用される懸濁流体は、通常液体であるが、たとえば、前述の米国特許出願第２００４／０１１２７５０号に記載されているように、気体でもあり得る。
【００３９】
既に述べられたように、本発明の第２の局面は、カラーフィルタアレイまたは電気泳動ディスプレイに接続されたカラーレフレクタを使用したカラーディスプレイで、電気泳動粒子が連鎖を形成する開放状態を有するカラーディスプレイに関する。カラーディスプレイは、シャッタモードディスプレイをカラーフィルタ（ディスプレイの「前」（すなわち、観測者とシャッタモードディスプレイの間）に位置するか、またはディスプレイの「後」（すなわち、観測者からディスプレイの反対側に）に位置する）に結合することによって製作し得ることは公知である。ディスプレイのピクセルが開放状態にあるとき、観測者は、フィルタまたはピクセルに隣接したリフレクタの色を見る。見える色を向上させるためにディスプレイはバックライトで照らされ得、リフレクタは、ディスプレイの後ろに位置し得る。通常カラーアレイは、異なるピクセルに関係した各トライアド（ｔｒｉａｄ）またはストライプの各３分の１付きの三原色の繰返しトライアドまたはストライプを有し、その結果、フルカラーディスプレイが提供される。そのようなカラーディスプレイは、前述の欧州特許出願第７０９，７１３号の図３２Ｂおよび米国特許第６，８６４，８７５号に示される。
【００４０】
多くのそのような従来技術のカラーディスプレイは電気泳動粒子の横の移動に依存する（すなわち、電気泳動層の平面に平行な電気泳動粒子の移動）。たとえば、前述の米国特許第６，８６４，８７５号、特に図２Ａ〜２Ｄおよび３Ａ〜３Ｉ、および米国特許出願公開第２００４／０１３６０４８号を参照されたい。これら米国特許では、電気泳動粒子の横の移動は、誘電泳動によって達成される。通常そのようなディスプレイのピクセルの開放状態において、電気泳動粒子は、ピクセルの領域の小部分に集中し、その結果、ピクセル領域の大部分は、光がその領域を通過することを可能にし、フィルタまたはリフレクタの色が見える。一方ピクセルの閉鎖状態において、粒子はピクセルの領域の少なくとも主要部分をカバーし、その結果、ピクセルは暗く見える。電気泳動のそのような横の移動は、各種の問題を受けやすい。通常、各ピクセルは、ディスプレイと同じ側に２個以上の電極を必要とし（通常、バックプレーンに隣接した背面側）、それが、複雑な、非標準的なバックプレーンとなる。また、電極は、異なるサイズで、および／または重複するがお互い絶縁されることが要求され得る。たとえば、欧州特許出願公開第１，２５４，９３０号を参照されたい。電気泳動粒子を横にすばやく移動させること、および帯電粒子によってカバーされないピクセルの小部分であってもその閉鎖した暗い状態に対する不利な影響を避けるために電気泳動の粒子を十分均一に分布する方法は、難しいということが分かり得る。
【００４１】
本発明の第２の局面に従って、電気泳動ディスプレイに関係したカラーアレイを使用したカラーシャッタモードディスプレイが提供される。そのディスプレイでは、ピクセルまたは各ピクセルは、電気泳動媒体を備え、電気泳動媒体は、懸濁流体に懸濁した複数の電気的帯電粒子、および電気泳動媒体の向かい合った側にある電極（通常、一対の電極）を備える。ピクセルは、閉鎖光学状態及び開放光学状態を有し、閉鎖光学状態において、帯電粒子は、ピクセルの視覚表面全体に実質的に広がっていて、その結果、光はピクセルを通過できなく、開放光学状態において、電気泳動粒子が電極間に延びた連鎖を形成し、その結果、光はピクセルを通過し得る。そのようなディスプレイの好ましい形態において、閉鎖状態において、帯電粒子は、ＤＣ電界によって、ディスプレイの隣接する電極を凝集するように移動される。
【００４２】
このタイプのカラーディスプレイは、各ピクセルに対して２個の電極で、１個の電極が電気泳動媒体の各側にある電極を必要するのみというメリットを有する。このように、本ディスプレイは、ピクセル電極マトリクス構造を有する従来の連続前電極／バックプレーンと互換性がある。さらに、帯電粒子は、連鎖の一部を形成するに十分な距離を横に移動する必要があるのみで、通常１ピクセル当たりいくつかの連鎖があるので、本発明のカラーディスプレイの開放は、通常、帯電粒子がピクセルの幅の相当な部分を一つのピクセルから別のピクセルに横に移動することを必要とするディスプレイより実質的に速い。さらに、ディスプレイのピクセルは、ＤＣまたは低周波数ＡＣ電界を印加し、１個の電極に隣接するすべての粒子を移動させることによる、従来の電気泳動ディスプレイと同様な方法で閉鎖され得るので、また、粒子は、小電極をカバーされない状態にする必要が一切なく、１個の電極の全体をカバーし得るので、閉鎖は、急速に達成され得、良好な暗い状態が生成され得る。
【００４３】
本発明のカラーディスプレイは、上記に検討されたように、本発明の第１の局面のオプションの特徴のどれでも利用し得る。
【００４４】
本発明の実施形態は、添付の図面に関して例示的な方法によってのみであるが、ここに記載される。
【００４５】
図１は、本発明の絶縁層ディスプレイの概略断面（全体的に１００で指定される）であり、ディスプレイ１００は、光がディスプレイを通過し得ない閉鎖（不透明）光学状態が例示される。ディスプレイ１００は、透明な後基板１０２および前基板１０４を含み、それらは、ディスプレイ１００の外部層を形成する。図１（および下記のその他の図）において示される各種層の厚さは、原寸ではなく、通常基板１０２および１０４は、図１の例示より実質的に厚く、頑丈な、機構的に丈夫なディスプレイであり得る。事実、ディスプレイ１００がＶＴウィンドウとして使用されるとき、基板１０２および１０４は、ウィンドーを形成する２枚のガラス板の形態であり得る。
【００４６】
後基板１０２は、複数のディスクリートなピクセル電極１０６が備えられ、それらの１個のみが図１に示される。一方、前基板１０４は、ディスプレイ全体に延びる１個の連続電極１０８を備える。電極１０６と１０８との間には、懸濁流体１１２内で分散する電気的に帯電粒子１１０を備える電気泳動媒体が配置される。
【００４７】
絶縁層１１４は、電極１０６と懸濁流体１１２との間に、および絶縁層１１６は、電極１０８と懸濁流体１１２との間に備えられる。絶縁層１１４および１１６は両方とも、ディスプレイ１００の全体にわたり連続であり、絶縁層１１４は、帯電粒子１１０と電極１０６との直接の接触を防ぐ働きをし、絶縁層１１６は、帯電粒子１１０と電極１０８との直接の接触を防ぐ働きをし、それによって、導電粒子が帯電粒子１１０として使用されることを可能にし、帯電粒子上の電荷が、電極１０６および１０８の接触によって変更される傾向を減少させる。
【００４８】
既に述べられたように、図１は、ディスプレイ１００が閉鎖（不透明）光学状態にあるディスプレイ１００を示し、そこでは、粒子１１０は電極１０８にわたり実質的に均一に広がり、その結果、電極１０６によって規定されるピクセルの全領域は光不透過のディスプレイとなる。ディスプレイ１００のこの閉鎖状態は、電極１０６と１０８との間に定電界を印加することによって生成され得、その結果、すべての帯電粒子１１０は、前電極１０８に隣接するように引かれる。代わりに、もちろん、電界の方向を変更することによって、粒子１１０は、後電極１０６に隣接するように引かれ得る。
【００４９】
図２は、ディスプレイ１００が開放（透明）光学状態にあるディスプレイ１００を示し、そこでは、帯電粒子１１０は、電極１０６と１０８間（または、より厳密には絶縁層１１４と１１６）に延びる「連鎖」で配置され、その結果、粒子は、ピクセルのほんの小部分のみ占め、光は、ピクセルを通過し得る。既に述べられたように、粒子のそのような連鎖は、電極１０６と１０８との間に高周波数交流電界を印加することによって、達成し得る。
【００５０】
図３は、本発明のカラーフィルタアレイディスプレイの概略断面（全体的に３００で指定される）である。ディスプレイ３００もまた、図１の絶縁層に類似した絶縁層が備えられる。ディスプレイ３００は、後基板３０２、前基板３０４、ピクセル電極３０６Ｒ、３０６Ｇ及び３０６Ｂ、連続前電極、帯電粒子３１０、懸濁流体３１２および絶縁層３１４および３１６を備え、それらのすべては、図１に示されたディスプレイ１００の対応する構成要素に、大体類似している。しかし、ディスプレイ３００においては、前基板３０４は、カラーの光透過の赤色部３０４Ｒ、緑色部３０４Ｇおよび青色部３０４Ｂを有するカラーフィルタアレイとして形成され、この赤色部はピクセル電極３０６Ｒに、緑色部はピクセル電極３０６Ｇに、および青色部はピクセル電極３０６Ｂにそれぞれ整列される。
【００５１】
ディスプレイ３００は、下から背面照明され、上から見るように設計される（図３に例示されているとおり）。代わりにリフレクタディスプレイの下に（すなわち、後基板に隣接し、その結果、上からディスプレイを通過する光は、ディスプレイを通して反射され、上から見える。図３に例示されているように、有効なピクセル電極３０６Ｒ、３０６Ｇおよび３０６Ｂは、開放または閉鎖光学状態に互いに無関係に置かれ得るサブピクセルを規定する。たとえば、図３は、開放状態において電極３０６Ｒおよび３０６Ｂによって規定される赤色および青色サブピクセル示す、その結果、ピクセルを見る観測者は、マジェンタ色を見る。
【００５２】
図４は、本発明のカラーリフレクタディスプレイ（全体的に４００で指定される）の概略断面であるディスプレイ４００は再び、図１の絶縁層に類似した絶縁層が備えられる。ディスプレイ４００は、図３に示されるディスプレイ３００にきわめて類似しているが、ディスプレイ３００の前基板３０４に備えられたカラーフィルタアレイを欠き、その代わり、ディスプレイ４００は、基板４０２内に形成され、ピクセル電極３０６Ｒ内に配列される赤色リフレクタ４０２Ｒ、ピクセル電極３０６Ｇ内に配列される緑色リフレクタ４０２Ｇ、および３０６Ｂ内に配列される青色リフレクタ４０２Ｂを備えるカラーリフレクタのアレイが備えられる。
【００５３】
ディスプレイ業界の当業者にとって容易に明らかなように、ディスプレイ４００は、ディスプレイ３００の動作方法にきわめて類似した方法で動作する。有効なピクセル電極３０６Ｒ、３０６Ｇおよび３０６Ｂは、開放または閉鎖光学状態に互いに無関係に置かれ得るサブピクセルを規定する。たとえば、図４において、電極３０６Ｒおよび３０６Ｂによって規定される赤色および青色サブピクセルは、開放状態であるが、電極３０６Ｇによって規定される緑色サブピクセルは、閉鎖状態である。したがって、上から見る観測者は（図４に例示されているように）、赤色リフレクタ４０２Ｒから反射された赤色光および青色リフレクタ４０２Ｂから反射された青色光を見るが、緑色リフレクタ４０２Ｇから反射されたどの光も見ない。従って、図４に示された３個のピクセル電極によって規定されるピクセルはマジェンタ色を表示する。
【００５４】
上記の本発明の特定の実施形態において、本発明の範囲を逸脱することなしに、多くの変更および修正がなされ得ることは、当業者にとって明らかである。たとえば、図１〜図４に例示された電気泳動ディスプレイは、非カプセル化の電気泳動媒体であるが、本発明のディスプレイは、カプセル化、ポリマー分散、またはマイクロセル電気泳動媒体も使用し得る。図３に示されるカラーフィルタアレイディスプレイ３００は、カラーフィルタアレイを、電気泳動媒体の「後」（観測者の観点から）に、たとえば後基板３０２内に、図４に示されるディプレイ４００に使用される方法に類似した方法で、置くことによって、修正し得る。その他の変更および修正は、ディスプレイ業界の当業者にとって容易に明らかである。
【図面の簡単な説明】
【００５５】
【図１】添付図面の図１は、閉鎖光学状態におけるディスプレイを示す本発明の絶縁層ディスプレイの概略断面である。
【図２】図２は、図１と同じディスプレイの概略断面であるが、ディスプレイの開放光学状態におけるディスプレイを示す。
【図３】図３は、図１と同様であるが、本発明のカラーフィルタアレイディスプレイの概略横断面である。
【図４】図４は、図１と図３と同様であるが、本発明のカラーリフレクタディスプレイの概略断面である。
【図１】
2008500592.tif 000003
【図２】
2008500592.tif 000004
【図３】
2008500592.tif 000005
【図４】
2008500592.tif 000006
【国際調査報告】
2008500592.tif 000007